(57)【特許請求の範囲】
【請求項１】
枠体の中央部近傍に防虫剤揮散用の多数のスリット或いは窓を設けた表枠体と裏枠体の２パーツで構成し、板状等に加工してなる衣料用等の防虫剤を両面から挟むように収納し、さらに各枠体の天部に吊り下げ用フック片を設けたプラスチック製の防虫剤容器において、
該防虫剤容器の表枠体又は裏枠体のどちらか１方の角部四隅に嵌合用の凹陥部（ｎ，ｎ）を設け、他の１方の角部四隅に嵌合用の突起部（ｍ，ｍ）を設け、かつ表枠体又は裏枠体のどちらか１方の天部の中央部近傍に受け皿状のフック用の支持片（１８ａ）を設け、他の１方の天部の１方の角部から斜め上方に半円形状の吊り下げフック状の上腕片を設けてなり、前記表枠体（３１）の裏面側と前記裏枠体（３２）の裏面側とを合わせるように凹陥部（ｎ，ｎ）と突起部（ｍ，ｍ）とを嵌合することにより、防虫剤容器の天部に前記フック用の支持片（１８ａ）とフック用の上腕片（１８）とにより構成される吊り下げ用フック（２０）を形成したことを特徴とする防虫剤容器等の吊り下げ用フック部構造。
【請求項２】
前記表枠体（３１）と裏枠体（３２）の下辺どうしをヒンジを介して連設したことを特徴とする請求項１に記載の防虫剤容器等の吊り下げ用フック構造。
【請求項３】
前記吊り下げ用フック（２０）が、棚板等に吊り下げ可能としたことを特徴とする請求項１又は２に記載の防虫剤容器等の吊り下げ用フック部構造。
【発明の詳細な説明】
【０００１】
【発明の属する技術分野】
本発明は、洋服ダンス、クローゼット等に吊り下げて使用する衣料用等の防虫剤容器に関し、特に吊り下げるためのフック部分の構造に関するものである。
【０００２】
【従来の技術】
従来より、洋服ダンスやクローゼット等に吊り下げて使用する防虫剤容器や乾燥剤等の容器が知られている。例えば、図４に示すように、吊り下げ用フック（２１）部分を一体成形した表枠体（３１）に、薬剤を板状にした防虫剤（３３）或いは袋入りの乾燥剤等を入れて収納し、この防虫剤等を抑え付けるようにするカバー部材としての裏枠体（３２）の２パーツから構成され、さらにこの枠体の両面には防虫剤等が揮散し易いように網目形状の模様が形成された防虫剤容器（３０）が数多く使用されている。すなわち、吊り下げ用フック（２１）を一体成形した表枠体（３１）とカバー部材としての裏枠体（３２）をヒンジ（３５，３５）を介して連設し、防虫剤等を入れたのち枠体どうしを合わせるように筒状凹部（ｔ，ｔ）に突起（ｈ，ｈ）を挿入し嵌合した防虫剤容器である。
【０００３】
上述した防虫剤容器等の吊り下げ用フック（２１）は、いずれも１パーツにてある程度限られた形状に成形されている場合が多い。例えば、図４に示すように、クエシチョンマーク型のフック（２１）が一般的に多く採用されている。さらに、図５に示すように、洋服ダンスやクローゼットに備えられているパイプに吊り下げ易いように、広げられる開口部を設けたリング状の吊り下げ用フック（２２）も近年採用されている。しかしながら、それぞれの洋服ダンスやクローゼットに備えられた吊り下げ用のパイプ等とサイズが合わないために吊り下げが難しい問題があった。
【０００４】
【発明が解決しようとする課題】
すなわち、各家庭においては、洋服ダンスやクローゼットによっては吊り下げ用のパイプの大きさ（径）が異なっており、フックの形状によってはフック部分の広がりには限界がある。従って、フックは一般的にパイプ等の径より幾分か大きく広がれば良いと言う考えの基に作製されているため、吊り下げても少々の力が加わることで簡単に落下してしまう等の問題が発生していた。
【０００５】
そこで本発明は、上記の課題を解決するために、吊り下げ用フックを設けた洋服ダンスやクローゼット用の防虫剤容器で、フック部分の広がりが従来タイプのフック部分よりより広く開口できるようにして、しかも簡単に落下しないようにした衣料用等に用いる防虫剤容器等の吊り下げ用フック構造を提供するものである。
【０００６】
【課題を解決するための手段】
上記目的を達成するために本発明は、枠体の中央部近傍に防虫剤揮散用の多数のスリット或いは窓を設けた表枠体と裏枠体の２パーツで構成し、板状等に加工してなる衣料用等の防虫剤を両面から挟むように収納し、さらに各枠体の天部に吊り下げ用フック片を設けたプラスチック製の防虫剤容器において、該防虫剤容器の表枠体又は裏枠体のどちらか１方の角部四隅に嵌合用の凹陥部（ｎ，ｎ）を設け、他の１方の角部四隅に嵌合用の突起部（ｍ，ｍ）を設け、かつ表枠体又は裏枠体のどちらか１方の天部の中央部近傍に受け皿状のフック用の支持片（１８ａ）を設け、他の１方の天部の１方の角部から斜め上方に半円形状の吊り下げフック状の上腕片を設けてなり、前記表枠体（３１）の裏面側と前記裏枠体（３２）の裏面側とを合わせるように凹陥部（ｎ，ｎ）と突起部（ｍ，ｍ）とを嵌合することにより、防虫剤容器の天部に前記フック用の支持片（１８ａ）とフック用の上腕片（１８）とにより構成される吊り下げ用フック（２０）を形成したことを特徴とする防虫剤容器等の吊り下げ用フック部構造。
【０００７】
また、前記表枠体（３１）と裏枠体（３２）の下辺どうしをヒンジを介して連設することを特徴とするものである。
【０００８】
さらに、前記吊り下げ用フック（２０）は、棚板等に吊り下げ可能としたことを特徴とするものである。
【０００９】
【発明の実施の形態】
本発明の防虫剤容器等の吊り下げ用フックの構造は、天部の一方の角部から斜め上方に半円形状の吊り下げフック用の上腕片（１８）を設けた表枠体（３１）と、天部の中央部近傍にフック用の支持片（１８ａ）を設けた裏枠体（３２）とからなり、前記表枠体（３１）の裏面側と前記裏枠体（３２）の裏面側とを合わせるように嵌合することにより、防虫剤容器の天部にフック用の支持片（１８ａ）とフック用の上腕片（１８）とを組み合わせて構成される吊り下げ用フック（２０）であり、吊り下げるためのパイプ等の大きさ（径）が異なる場合でも容易に掛けることができ、さらに棚板等にも掛けられるようにしたものである。
【００１０】
図に基づき本発明の実施の形態を詳細に説明する。
図１は、本発明の一実施例における防虫剤容器の構成部材を示すもので、（Ａ）は表枠体を示す正面から見た平面図であり、（Ｂ）は裏枠体を示す正面から見た平面図である。また図２は、上記各枠体を組み合わせた防虫剤容器を示すもので、（Ａ）は正面からみた吊り下げ用フックを有する防虫剤容器を示す平面図であり、（Ｂ）は裏面側からみた吊り下げ用フックを有する防虫剤容器を示す平面図である。さらに、図３は、本発明の防虫剤容器おける吊り下げ用フックの使用状態を示すもので、（Ａ）はパイプに掛けた状態を示す説明図で、（Ｂ）は棚板等に掛けた状態を示す説明図である。
【００１１】
【実施例】
本発明は、枠体の中央部近傍に防虫剤が揮散し易いように網目形状の模様を設けた表枠体と裏枠体の２パーツで構成し、板状等に加工してなる衣類用等の防虫剤を両面から挟むように収納すると共に、前記表裏枠体の天部に吊り下げ用フック片を設けたプラスチック製の防虫剤容器であり、この吊り下げ用フックの構造に特徴を有するものである。
【００１２】
先ず、本発明に係る防虫剤容器は、図１（Ａ）に示すように、この防虫剤容器枠体の角部四隅に嵌合用の凹陥部（ｎ，ｎ）を設けて、その枠体天部の一方の角部から斜め上方に半円形状の吊り下げフック用の上腕片（１８）を設け、さらに防虫剤揮散用の網目模様形状の隙間を設けた表枠体（３１）の構成部材と、図１（Ｂ）に示すように、角部四隅に前記の凹陥部（ｎ，ｎ）に合わせるように裏面側に向かって嵌合用の突起部（ｍ，ｍ）を設け、その天部の中央部近傍に吊り下げフック用の支持片（１８ａ）を設けて、さらに前記同様の揮散用の網目模様形状の隙間を設けた裏枠体（３２）の２パーツから構成されるものである。
【００１３】
次に、この表枠体（３１）の裏面側と前記裏枠体（３２）の裏面側とを合わせて凹陥部（ｎ，ｎ）と突起部（ｍ，ｍ）とを嵌合することにより、防虫剤容器の天部に前記裏枠体（３２）のフック用の支持片（１８ａ）と表枠体（３１）のフック用の上腕片（１８）とが組合わさり吊り下げ用フック（２０）を構成する防虫剤容器が得られる（図２を参照）。図に示すように、本発明の防虫剤容器に係る吊り下げ用フック（２０）の構造は、開口部が狭いように見えるがフック用の上腕片（１８）を僅かに上方に広げることによりパイプの大きさ（径）が異なっていても容易に掛けることができると共に、受け皿状のフック用の支持片（１８ａ）と前記上腕片（１８）とに嵌まるように保持されるので少々の圧力等では落下することがない。さらに、左右のいずれの方向からも吊り下げるパイプ等に掛けることができる。
【００１４】
次に、図３は本発明の防虫剤容器に係る吊り下げ用フックの具体的な使用状態を示すもので、図３（Ａ）に示すように、吊り下げ用フック（２０）は、開口部より大きいパイプ（１２）径であるが上腕片（１８）の先端を上に挙げて挿入することで支持片（１８ａ）で受けると共に、上腕片（１８）がパイプ上から抑えるように保持するのでしっかりと固定する状態になる。また、図３（Ｂ）に示すように、吊り下げ用フック（２０）は、パイプでなくとも例えば棚板（１３）であっても上腕片（１８）と支持片（１８ａ）で挟むように保持することが可能であり、しかも棚板から外れ難い状態に挟むことができるので防虫剤容器は落下する心配がない。また、吊り下げ用フックは一体型ではなく、それぞれ独立した表枠体（３１）と裏枠体（３２）の天部に設けられているので容器本体の開閉は自在に行うことが可能で、防虫剤等の交換等を容易に行うことができる。
【００１５】
さらに、図示はしないが、本実施例においては表枠体（３１）と裏枠体（３２）の２パーツ構成の防虫剤容器を示したが、これに限定されるものではなく、表枠体と裏枠体の下辺部どうしをヒンジにより連結することも可能である。従って連結された表枠体（３１）と裏枠体（３２）の開閉が容易となる。
【００１６】
【発明の効果】
本発明は以上の構成であるから、下記に示す如き効果がある。
すなわち、本発明に係る吊り下げ用フックの構造は、独立した表枠体と裏枠体の天部に設けられているので容器本体の開閉は自在に行うことが可能で、防虫剤等の交換等を容易に行うことができる。また、吊り下げ用フックは、開口部が狭いように見えるがフック用の上腕片を僅かに上方に広げることによりパイプの大きさ（径）が異なっていても容易に掛けることができると共に、受け皿状のフック用の支持片と上方よりの上腕片に挟まれ上から抑えるように保持されるので少々の圧力等では落下することがない。さらに、左右のいずれの方向からも吊り下げるパイプ等に掛けることができる等の種々の優れた効果を奏する。
【図面の簡単な説明】
【図１】本発明の一実施例における防虫剤容器の構成部材を示すもので、（Ａ）は表枠体を示す正面から見た平面図であり、（Ｂ）は裏枠体を示す正面から見た平面図である。
【図２】上記各枠体を組み合わせた防虫剤容器を示すもので、（Ａ）は正面からみたフック部を有する防虫剤容器を示す平面図であり、（Ｂ）は裏面側からみたフック部を有する防虫剤容器を示す平面図である。
【図３】本発明の防虫剤容器おける吊り下げ用フックの使用状態を示すもので、（Ａ）はパイプに掛けた状態を示す説明図で、（Ｂ）は棚板等に掛けた状態を示す説明図である。
【図４】従来の防虫剤容器における吊り下げ用フックの形状を示す説明図である。
【図５】従来の他の吊り下げ用フックの形状を示す説明図である。
【符号の説明】
１２……パイプ
１３……棚板
１５，３０…防虫剤容器
１８……上腕片
１８ａ…支持片
２０……吊り下げ用フック
２１，２２……従来の吊り下げ用フック
３１……表枠体
３２……裏枠体
３３……防虫剤
３５……ヒンジ
ｎ……嵌合用凹陥部
ｍ……嵌合用突起部
ｔ……筒状凹部
ｈ……突起
【図１】
0004013598.tif 000002
【図２】
0004013598.tif 000003
【図３】
0004013598.tif 000004
【図４】
0004013598.tif 000005
【図５】
0004013598.tif 000006